(57)【要約】【課題】予約録画した番組が放送時間が延長された番組である場合、又は延長された番組以降の同チャンネルの番組であるに、この番組を過不足なく記録することができない。【解決手段】ＥＰＧ処理部１７は、放送時間の延長がある場合に、ＥＰＧデータから放送の最大延長時間を検出し、ＤＶＲ１３は、対象番組の録画を行う際に、最大延長時間分だけ録画時間を延長する。ＥＰＧ処理部１７が変更されたＥＰＧデータを取得すると、実際の延長時間が明らかとなるため、最大延長時間と実際の延長時間とに基づき、ＤＶＲ１３に記録されている映像信号の不要部分が削除される。【選択図】　図１
2004032485.tif 000002
【特許請求の範囲】
【請求項１】
電子番組表を入手して表示する入手表示手段と、
所望のチャンネルにおける第１の放送番組の予約録画を設定する予約録画設定手段と、
前記入手表示手段により入手した前記電子番組表に基づき、前記第１の放送番組が、放送時間の延長の可能性のある第２の放送番組、又は前記第２の番組以降の同じチャンネルの第３の放送番組であるか否か判別する番組判別手段と、
前記番組判別手段により、前記第１の放送番組が、前記第２の放送番組、又は前記第３の放送番組であると判別されたときには、前記第１の放送番組の予約録画終了時刻を、前記第２の放送番組の最大延長時間分繰り下げた時刻に変更する予約録画設定変更手段と、
前記第２の放送番組の延長時間を検出する延長時間検出手段と、
前記予約録画設定変更手段により変更された予約録画設定情報に基づき前記第１の放送番組の録画を実行する録画実行手段と、
前記延長時間検出手段により検出された前記第２の放送番組の延長時間と、前記最大延長時間とに基づき、前記録画実行手段により録画された映像信号のうち前記第１の放送番組以外の映像部分を検出し、前記映像部分を消去する消去手段とを備えることを特徴とする映像信号記録装置。
【発明の詳細な説明】
【０００１】
【発明の属する技術分野】
本発明は映像信号記録装置に係り、特に電子番組表（ＥＰＧ）を入手して表示する機能のある映像信号記録装置に関する。
【０００２】
【従来の技術】
テレビジョン放送の番組をタイマ予約できる機能を備えた映像信号記録装置では、録画しようとする所望のテレビジョン放送の番組の開始時刻、チャンネル及び終了時刻などの情報を使用者がタイマ予約し、予約した開始時刻が来ると、自動的に予約したチャンネルのテレビジョン放送番組の映像信号の記録を、予約した終了時刻まで行う。
【０００３】
しかし、予約録画しようとした所望のテレビジョン放送番組が、サッカーや野球などのスポーツ中継番組である場合、最大延長時間を限度に放送時間が延長されることがあり、予約した番組の放送終了時刻を越えることがある。また、予約録画しようとした所望のテレビジョン放送番組が、試合時間が延長されたスポーツ中継番組以降の放送番組の場合は、予約した放送開始時刻が延長された時間に対応した時間分繰り下がることとなる。
【０００４】
従って、従来の映像信号記録装置では、録画終了時刻を例えば１５分単位で延長させて録画する延長録画機能によりこの問題に対応していた。即ち、録画終了以前に１５分単位の録画延長指示を映像信号記録装置に与えることで、本来の録画終了時刻以降も所定時間分放送を余分に録画させ、番組の一部が未録画となる事態を防止していた。
【０００５】
【発明が解決しようとする課題】
ところが、このような従来の映像信号記録装置の場合、番組が実際に延長されたか否か、またはその延長時間とは全く無関係に録画が実行されるため、所望のテレビジョン放送番組の映像信号を番組開始時刻から終了時刻まで、過不足無く正確に記録媒体に記録することができないといった問題があった。
【０００６】
本発明は以上の点に鑑みなされたもので、予約録画しようとする所望の放送番組の終了時刻や開始時刻が変更になった場合でも、正確に番組開始時点から終了時点まで放送番組の映像信号を記録媒体に記録可能な映像信号記録装置を提供することを目的とする。
【０００７】
【課題を解決するための手段】
上記目的を達成するため、本発明の映像信号記録装置は、
電子番組表を入手して表示する入手表示手段と、
所望のチャンネルにおける第１の放送番組の予約録画を設定する予約録画設定手段と、
前記入手表示手段により入手した前記電子番組表に基づき、前記第１の放送番組が、放送時間の延長の可能性のある第２の放送番組、又は前記第２の番組以降の同じチャンネルの第３の放送番組であるか否か判別する番組判別手段と、
前記番組判別手段により、前記第１の放送番組が、前記第２の放送番組、又は前記第３の放送番組であると判別されたときには、前記第１の放送番組の予約録画終了時刻を、前記第２の放送番組の最大延長時間分繰り下げた時刻に変更する予約録画設定変更手段と、
前記第２の放送番組の延長時間を検出する延長時間検出手段と、
前記予約録画設定変更手段により変更された予約録画設定情報に基づき前記第１の放送番組の録画を実行する録画実行手段と、
前記延長時間検出手段により検出された前記第２の放送番組の延長時間と、前記最大延長時間とに基づき、前記録画実行手段により録画された映像信号のうち前記第１の放送番組以外の映像部分を検出し、前記映像部分を消去する消去手段とを備えることを特徴とするものである。
【０００８】
【発明の実施の形態】
次に、本発明の一実施の形態について、図面と共に説明する。図１は本発明になる映像信号記録装置の一実施の形態のブロック図を示す。同図において、映像信号記録再生装置１０は、所望のチャンネルの放送信号を受信して受信信号を得るチューナ１１と、受信信号をＭＰＥＧ等の符号化方式で符号化するエンコーダ（ＥＮＣ）１２と、ＨＤＤやＤＶＤ−ＲＷなどのディジタルビデオレコーダ（ＤＶＲ）１３と、ＭＰＥＧ等の符号化方式で符号化された符号化データを復号化するデコーダ（ＤＥＣ）１４と、ＤＶＲ１３に記録されたデータの編集及び修正を行う記録データ修正部１５と、オンスクリーンディスプレイ（ＯＳＤ）１６と、放送波の垂直帰線消去期間（ＶＢＩ）に挿入されたＥＰＧの取得および解析を行うＥＰＧ処理部１７と、中央処理装置（ＣＰＵ）１８とから構成されており、テレビモニタ２０に接続されている。そして、ＣＰＵ１８は、映像信号記録再生装置１０の各部を統括的に制御する。なお、ＤＶＲ１３では、チューナ１１で受信した符号化されたビデオ信号が記録されると共に、エンコーダ１２で符号化されることなくそのまま通過したＥＰＧデータが記録されるものとする。
【０００９】
次に、以上のように構成された映像信号記録再生装置１０の動作について説明する。はじめにＤＶＲ１３の状態を説明する。ＣＰＵ１８の制御の下に記録時は選局された所望チャンネルの放送波信号がチューナ１１により選択受信され、ベースバンド帯の受信信号に変換されてエンコーダ１２に供給され、ここでＭＰＥＧ等の動画像符号化方式で所望チャンネルの放送番組のディジタルビデオ信号にエンコードされた後ＤＶＲ１３に書き込まれる。
【００１０】
再生時には、ＣＰＵ１８の制御の下にＤＶＲ１３より読み出されたディジタルビデオ信号は、デコーダ１４により所望チャンネルの放送番組のビデオ信号に戻されて、ＯＳＤ１６で動作状態などを付加させた後、テレビモニタ２０に出力され視聴される。また、ＥＰＧ処理部１７は、チューナ１１から受信放送波のＶＢＩに挿入されているＥＰＧデータを取得し、そのデータ内容を解析し、表示形式にしてＯＳＤ１６で表示させる。使用者はリモコン操作により任意の放送番組を選択し、録画予約の設定、また解除を画面上で行う。なお、ＥＰＧデータにはスポーツ番組の最大延長時間を表す情報があるものとする。現在、ＥＰＧデータを放送波のＶＢＩに多重して送信するサービスは行われており、例えば、一日に数時間おきに５回程度、一回１０分程度で送信されている。
【００１１】
次に、スポーツ放送の一般的な例として野球放送の延長がそれ以降の番組にどのように影響するかを説明する。図２に示すような番組編成だったとする。同図に示す番組編成において、１９時００分から２０時５４分までのプロ野球放送中の「最大延長０９２４」の表示は、最大でそのプロ野球放送が午後９時２４分まで延長されること、すなわち最大延長時間が３０分であることを意味する。
【００１２】
従って、プロ野球放送が最大延長時間まで延長された場合は、その後の同じチャンネルのＣＭや２０時５４分からのニュースを挟み、本来の２１時００分から放送開始されるドラマＡの番組は２１時３０分から開始されるというように、ドラマＡ以降の番組は全て開始時刻がそれぞれ３０分ずつ繰り下げて放送される事を意味する。
【００１３】
しかし、本来の放送終了時間は過ぎたものの最大延長時間前に試合が終了した場合、例えば２１時１０分に試合終了の場合は、その試合のダイジェスト、ヒーローインタビュー、などで時間を調節し、ＣＭを挟み、区切りの良い５分単位の繰り下げとなるように２１時１９分からニュース、２１時２５分からドラマＡがそれぞれ放送開始されるように番組が再編成される。
【００１４】
以上のことを前提として、次に本実施の形態の動作を説明する。まず、ＣＰＵ１８は、録画予約リストとＥＰＧよりスポーツ放送時間の延長に影響される番組の有無を判断する。スポーツ放送時間の延長に影響される可能性のある番組がある場合、以下に説明する如く放送番組の映像信号の録画を行う。一例として、図２に示した番組編成のうちのドラマＡを予約録画する場合について説明する。
【００１５】
まず、ＣＰＵ１８は、予約録画するドラマＡが１９時００分放送開始のプロ野球放送により放送開始時間が繰り下がる可能性がある番組であることを、録画予約リストとＥＰＧより判断すると、プロ野球放送の最大延長時間分だけ録画終了時刻を延長するよう録画予約情報を修正する。つまり、図２に示した番組編成の場合、ドラマＡの録画終了時刻が３０分延長される。
【００１６】
ドラマＡの録画実行時には、この番組を成すディジタルビデオ信号、及びＥＰＧデータがＤＶＲ１３に記録されるが、その際、このディジタルビデオ信号は、記録アドレスとこの番組の開始時刻からの経過時間とが対応付けられて記録される。つまり、番組の開始時刻からの経過時間に対応した番組の記録部分が素早く検出できるようディジタルビデオ信号が記録媒体上に記録される。また、ＥＰＧデータの一部として、少なくとも番組の開始時刻が記録される。
【００１７】
そして、３０分延長後のドラマＡの録画終了時刻となると、ＤＶＲ１３は録画動作を終了するが、その時、ＥＰＧ処理部１７は、チューナ１１からの出力に含まれるＥＰＧデータを再度取得し、そのデータ内容を解析する。ＥＰＧ処理部１７には、ドラマＡの録画予約時に取得したＥＰＧデータが既にその内部に蓄積されているが、ここで新たに取得したＥＰＧデータとの間で不一致の部分を探し出し、プロ野球放送の実際の放送延長時間を演算する。
【００１８】
例えば、新たに取得したＥＰＧデータにおいて、ニュースの放送開始時刻が２１時１９分と変更されていたのであれば、プロ野球放送は、実際には２５分間延長されたことになるため、この２５分という実際の放送延長時間が算出される。
このように、プロ野球放送が２５分間延長されたことが明らかとなると、最大延長時間が３０分であるため、ドラマＡに関しては、録画開始からの最初の２５分間と録画終了までの最後の５分間は、ドラマＡ以外の番組及びコマーシャル等が記録されていることになる。
【００１９】
従って、ＥＰＧデータの解析結果をＥＰＧ処理部１７から受けたＣＰＵ１８は、ドラマＡに関する録画の最初の２５分間と、最後の５分間とが無駄な録画としてＤＶＲ１３から消去されるよう記録データ修正部１５を制御する。そして、記録データ修正部１５がＤＶＲ１３を制御することにより、ドラマＡに関する録画の最初の２５分間と、最後の５分間とが記録媒体上から消去される。
【００２０】
なお、このようにドラマＡを予約録画していた場合には、最初の２５分間と、最後の５分間とが無駄な録画となるため、この部分が消去されるが、仮に、プロ野球放送を予約録画していた場合には、最後の５分間のみが無駄な記録となるため、この５分間分のディジタルビデオ信号のみが消去される。これら消去すべき部分の判別は、全てＣＰＵ１８により行われる。
【００２１】
また、予約録画番組の録画中に新たなＥＰＧデータを取得でき、ＥＰＧデータに変更があったことを検出できた場合には、予約録画の録画終了時刻を新たなＥＰＧデータに基づき変更するようにしても構わない。また、予約録画番組の録画開始前に新たなＥＰＧデータに変更があったことを検出できた場合には、このＥＰＧデータに基づき予約録画の録画開始時刻及び録画終了時刻を変更するようにしても良い。
【００２２】
また、ＥＰＧデータを確認すれば、視聴中の放送局における最後の番組の終了時刻を知ることが可能となるため、このようにＥＰＧデータより得た放送局の番組終了時刻情報を装置のオートパワーオフの機能に用いれば、これまで問題となっていたオートパワーオフの誤動作の問題を解消でき、正確なオートパワーオフの動作を実現できるが、この場合であっても、ＥＰＧデータの変更がある場合にいは、変更されたＥＰＧデータによりオートパワーオフの動作を実行することは言うまでもない。
【００２３】
次に、本発明に係る映像信号記録装置の他の実施の形態について説明する。図３は、他の実施の形態による映像信号記録装置を説明するための図であり、図１で示した映像信号記録装置と同一の構成については、同一の符号を付し、その説明を一部省略する。
【００２４】
図３に示す映像信号記録装置は、ステレオモード、モノラルモード、２カ国語モード等、音声信号の音声モードの切り替わりを監視することにより、放送延長時間を検出するようにしたところが図１に示した映像信号記録装置と異なる。以下、図３に示す映像信号記録装置の動作について説明する。
【００２５】
先の実施の形態に関する説明と同様に、図２に示した番組編成のうちのドラマＡを予約録画する場合について説明する。なお、図３に示す例では、ＥＰＧ処理部３４がインターネット回線を介して所定のＷＥＢサイトからＥＰＧデータを取得しているものとして説明をするが、図１に示す例と同様にチューナ１１で受信した受信信号からＥＰＧデータを取得するようにしても構わない。
【００２６】
このＥＰＧデータを利用して、ドラマＡの録画を予約すると、ＣＰＵ３３は、予約録画するドラマＡが１９時００分放送開始のプロ野球放送により放送開始時間が繰り下がる可能性がある番組であることを、録画予約リストとＥＰＧから判断し、プロ野球放送の最大延長時間分だけ録画終了時刻を延長するよう録画予約情報を修正する。
【００２７】
そして、ドラマＡの録画が開始されると、音声モード判別部３１は録画中の番組の音声モードを常時監視し、ＥＰＧ処理部３４で取得したＥＰＧデータに基づく予約番組の音声モード情報と音声モード判別部３１で判別された音声モード情報とを音声モード比較部３２で比較する。この比較結果は、ＣＰＵ３３に供給され、ＣＰＵ３３は、録画開始から録画終了に至るまでの比較結果を解析することにより、どの部分からどの部分までがドラマＡに関する録画であったかを判別する。そして、ＣＰＵ３３は、この判別結果に基づき記録データ修正部１５を制御する。
【００２８】
つまり、ＥＰＧデータに基づく音声モード情報と、実際に受信した放送信号における音声モード情報とを用いて、プロ野球放送が２５分間延長されたことを判別し、ドラマＡの録画に関して最初の２５分間と最後の５分間とがＤＶＲ１３から消去されるよう記録データ修正部１５を制御する。
【００２９】
なお、このようにしてＣＰＵ３３が音声モード比較部３３の比較結果を監視した結果、プロ野球放送に延長がなかったと判別された場合には、ドラマＡに関する録画の最後の３０分が無駄な記録となっているため、この３０分間分のディジタルビデオ信号が消去される。
【００３０】
【発明の効果】
以上説明したように、本発明によれば、予約録画が設定された放送番組の放送時間が延長される可能性のある場合、ＥＰＧデータから得た最大延長時間に相当する時間分多く録画が実行され、実際の延長時間を検出した後に、不要な映像部分を消去するようにしたため、番組開始時点から終了時点までの放送番組の映像信号を過不足なく記録することができるという効果を奏する。
【図面の簡単な説明】
【図１】本発明の一実施の形態を示すブロック図である。
【図２】番組編成の一例を示す図である。
【図３】本発明の他の実施の形態を示すブロック図である。
【符号の説明】
１０、３０　映像信号記録再生装置
１１　チューナ
１２　エンコーダ（ＥＮＣ）
１３　ディジタルビデオレコーダ（ＤＶＲ）
１４　デコーダ（ＤＥＣ）
１５　記録データ修正部
１６　オンスクリーンディスプレイ（ＯＳＤ）
１７、３４　ＥＰＧ処理部
１８、３３　中央処理装置（ＣＰＵ）
２０　テレビモニタ
３１　音声モード判別部
３２　音声モード比較部
【図１】
2004032485.tif 000003
【図２】
2004032485.tif 000004
【図３】
2004032485.tif 000005